(57)【要約】【課題】高倍率ズームレンズに対応可能な、位置情報検出機能を備えたズームレンズ鏡筒を提供する。【解決手段】ズームレンズ鏡筒１０は、固定筒１１と、中間筒１２と、撮影レンズ１３が保持されている移動筒１４とで構成されている。固定筒１１の内面には、一定のリード角に従ってヘリコイド山１５が形成されている。また、このヘリコイド山１５の一部分を省いた箇所に、リード角と等しくなるようにコード板１６が配置されている。中間筒１２の外周には、固定筒のヘリコイド山１５と係合するヘリコイド山１７とブラシ部材１８が設けられている。中間筒１２は、ヘリコイド山１５，１７のリード角に従って、ワイド端とテレ端との間で光軸方向に移動を行う。この時、ブラシ部材がコード板に摺接することにより、位置情報の検出が行われる。【選択図】        図２
2004294625.tif 000002
【特許請求の範囲】
【請求項１】
内周にヘリコイド山が形成された固定筒と、前記ヘリコイド山に係合するヘリコイド山が外周に形成され自身の回転によって前記固定筒内に収納される収納位置と前方に繰り出される撮影位置との間で移動する回転筒と、導電部と非導電部との組み合わせによるレンズ位置情報を有するコード板と、前記コード板と接触し、コード板との相対位置情報に基づいてレンズ位置の検出を行うブラシ部材とを備えたズームレンズ鏡筒において、
前記固定筒の内周に前記ヘリコイド山のリード角と等しくなるように前記コード板を配置し、前記ブラシ部材を前記回転筒の外周に配置することにより、前記回転筒が前記収納位置と前記撮影位置との間で移動する際に、前記ブラシ部材が前記コード板に摺接してレンズ位置の検出を行うことを特徴とするズームレンズ鏡筒。
【請求項２】
前記固定筒の内周のヘリコイド山は固定筒の光軸方向の略全域に形成され、前記回転筒の外周のヘリコイド山は前記固定筒と重なり合う回転筒の光軸方向の端部のみに形成されており、前記ブラシ部材は前記端部に配置されていることを特徴とする請求項１記載のズームレンズ鏡筒。
【発明の詳細な説明】
【０００１】
【発明の属する技術分野】
本発明は、ズームレンズ鏡筒に関し、詳しくは、コード板とブラシ部材とによるレンズ位置検出手段を備えたズームレンズ鏡筒に関する。
【０００２】
【従来の技術】
ズームレンズ鏡筒を光軸方向に移動させるズームレンズカメラでは、焦点位置を算出するために、ズームレンズ鏡筒の位置検出を行っている。この位置検出は、回転筒の外周にヘリコイド山と同一の傾斜角度でコード板を配置して、回転筒の移動に応じて常時導通状態を保持しながら、回転筒の回転位置を検出している（例えば、特許文献１参照。）。
【０００３】
【特許文献１】
実公平０６−１８３２５号公報
【０００４】
【発明が解決しようとする課題】
しかしながら、上記公報記載の技術では、回転筒の繰り出し量を大きくするとコード板が露出してしまい、カメラの美観を損なうという欠点や、コード板が劣化する恐れがあるという欠点等があり、高倍率ズームレンズには対応できないという問題があった。
【０００５】
本発明のズームレンズ鏡筒は、上記事情を考慮してなされたもので、回転筒の送り出し量を大きくしても、コード板が露出されることがなく、高倍率ズームレンズにも対応できるズームレンズ鏡筒を提供することを目的とする。
【０００６】
【課題を解決するための手段】
上記問題点を解決するために、本発明のズームレンズ鏡筒は、内周にヘリコイド山が形成された固定筒と、前述のヘリコイド山に係合するヘリコイド山が外周に形成され自身の回転によって固定筒内に収納される収納位置と前方に繰り出される撮影位置との間で移動する回転筒と、導電部と非導電部との組み合わせによるレンズ位置情報を有するコード板と、このコード板と接触しコード板との相対位置情報に基づいてレンズ位置の検出を行うブラシ部材とを備えたズームレンズ鏡筒であり、固定筒の内周に形成されたヘリコイド山のリード角と等しくなるようにコード板を配置し、ブラシ部材を回転筒の外周に配置することにより、回転筒が収納位置と撮影位置との間で移動する際に、ブラシ部材がコード板に摺接してレンズ位置の検出を行うことを特徴とするものである。
【０００７】
また、固定筒の内周のヘリコイド山は固定筒の光軸方向の略全域に形成され、回転筒の外周のヘリコイド山は固定筒と重なり合う回転筒の光軸方向の端部のみに形成されており、ブラシ部材はこの端部に配置されることが好ましい。
【０００８】
【発明の実施の形態】
図１は、本発明を実施したズームレンズ鏡筒１０を示す外観斜視図である。このズームレンズ鏡筒１０は、カメラ本体に固定される固定筒１１と、この固定筒１１内で収納位置と前方に繰り出される撮影位置との間で移動する中間筒１２と、撮影レンズ１３を保持して中間筒１２内で収納位置と前方に繰り出される撮影位置との間で移動する移動筒１４とで構成されている。この撮影位置は、撮影時に撮影レンズ１３を移動する位置であり、ワイド端とテレ端との間の任意の変倍位置に相当する。本実施形態においては、中間筒１２が本発明のズームレンズ鏡筒の回転筒に相当する。
【０００９】
図２は、ズームレンズ鏡筒１０の構成を示す分解斜視図である。固定筒１１の内周には、一定のリード角に従ってヘリコイド山１５が形成されている。また、図３の固定筒１１の展開図に示すように、ヘリコイド山１５の一部分を省いた箇所に、ヘリコイド山１５と等しいリード角となるようにコード板１６が貼り付けられている。また、この固定筒１１の内周には、溝１１ａ，１１ｂ，１１ｃが設けられている。
【００１０】
図２に示すように、中間筒１２の後方の外周には、ヘリコイド山１５と噛合するヘリコイド山１７が形成されている。さらに、この中間筒１２の後方の外周には、中間筒１２が固定筒１１内を収納位置と繰り出し位置との間で移動する際に、コード板１６に摺接するブラシ部材１８が設けられている。また、この中間筒１２の内周には、固定筒１１の内周に形成されたヘリコイド山１５とは、逆のリード角となるようにヘリコイド山１９が形成されている。
【００１１】
移動筒１４の後方の外周には、ヘリコイド山１９と噛合するヘリコイド山２０が形成されている。固定筒１１は、カメラ本体に固定されており、中間筒１２及び移動筒１４を図４に示すように収納する。中間筒１２には、移動筒１４の回転を止める回転止め部材２４が後端に組み込まれている。なお、図示しないが、この回転止め部材２４には、中間筒１２と一緒に回転しないように、固定筒１１の内周に光軸Ｏ方向に沿って設けられた溝１１ａ，１１ｂ，１１ｃに嵌合するキーが設けられている。
【００１２】
移動筒１４の内周には、回転止め部材２４に設けた直進キー２４ａが係合するキー溝１４ｂが光軸Ｏ方向に沿って形成されている。これにより、中間筒１２が図示せぬズームモータにより回転されて光軸Ｏ方向に移動する際に、移動筒１４は中間筒１２の回転と回転止め部材２４との協働により回転が止められた状態で中間筒１２に対して光軸Ｏ方向に移動する。これにより、中間筒１２及び移動筒１４は、固定筒１１に対して、図４に示すワイド端と図５に示すテレ端との間で移動される。
【００１３】
また、撮影レンズ１３は、前群レンズ２６，後群レンズ２７とからなり、これらは移動筒１４に組み込まれている。前群レンズ２６は、移動筒１４に固定され、また、後群レンズ２７は、光軸Ｏ方向に移動自在に取り付けられている。図４及び図５に示すように、後群レンズ２７は、移動筒１４に内蔵したフォーカスモータ２８から得られる回転により前群レンズ２６に対して光軸Ｏ方向に移動する。
【００１４】
前述したように、中間筒１２が固定筒１１に対して光軸Ｏ方向に移動する際に、ブラシ部材１８は、コード板１６に摺接する。図６に示すように、コード板１６には、導電部材３１，３２，３３，３４が設けられている。導電部材３１は、ブラシ部材がコード板に摺接する際に、常に接触して共通端子３５に接続されている。導電部材３２，３３，３４には、導通部と非導通部が設けられており、それぞれ出力端子３６，出力端子３７，出力端子３８接続されている。
【００１５】
ブラシ部材１８が、コード板１６に摺接して移動する際に、導電部材３２，３３，３４の導電部に接触する位置にある時には、導電部材３１と導通して、出力端子３６，出力端子３７，出力端子３８に「１」が出力される。また、ブラシ部材１８が、導電部材３２，３３，３４の導電部に接触しない非導電部に位置する時には、出力端子３６，出力端子３７，出力端子３８に「０」が出力される。
【００１６】
このように、出力端子３６，出力端子３７，出力端子３８には、「０」または「１」が出力されるので、この「０」と「１」の組み合わせにより、３ビットの位置情報を検出することが可能である。つまり、８通りの位置（位置Ａ〜位置Ｈ）を検出することができる。
【００１７】
以上のように構成されたズームレンズ鏡筒１０は、図示せぬズームモータにより、中間筒１２が回転して、固定筒１１の内周に形成されたヘリコイド山１５のリード角に従って光軸Ｏ方向に移動する。移動筒１４は、中間筒１２がズームモータにより回転されて光軸Ｏ方向に移動する際に、中間筒１２の回転と回転止め部材２４との協働により回転が止められた状態で、中間筒１２の内周に形成されたヘリコイド山１９のリード角に従って、光軸Ｏ方向に移動する。これにより、中間筒１２及び移動筒１４は、固定筒１１に対して、図４に示すワイド端と図５に示すテレ端との間で移動される。
【００１８】
この移動に伴って、ブラシ部材がコード板に摺接して位置の検出が行われる。これにより得られた位置情報に基づいて焦点位置が算出され、フォーカスモータ２８が駆動されて、後群レンズ２７が合焦位置に移動する。
【００１９】
本実施形態においては、コード板に４つの導電部材を設けて、３ビットの位置情報を検出するようにしたが、これに限るものではなく、コード板に３つの導電部材を設けて、２ビットの位置情報を検出するようにしても良い。この場合、４通りの位置情報を検出することが可能である。また、コード板に５つの導電部材を設けて、４ビットの位置情報を検出するようにしても良い。この場合、１６通りの位置情報を検出することが可能である。
【００２０】
さらに、本実施形態においては、ズームレンズ鏡筒を、固定筒と中間筒と移動筒の三つで構成したが、これに限るものではなく、固定筒と移動筒の２つで構成しても良い。この場合、固定筒の内周にコード板を設け、移動筒の外周にブラシ部材を設ければ良い。この時、移動筒が本発明のズームレンズ鏡筒の回転筒に相当する。
【００２１】
【発明の効果】
以上のように、本発明のズームレンズ鏡筒によれば、固定筒の内周に、ヘリコイド山のリード角と等しくなるように、コード板を設け、さらに、回転筒の外周にブラシ部材を設けることにより、回転筒が、ワイド端とテレ端との間で移動する際に、ブラシ部材がコード板に摺接して位置情報を検出するようにしたので、回転筒の繰り出し量を大きくすることができるので、コード板が露出してカメラの美観を損なったり、コード板が劣化するという恐れがない。また、回転筒の繰り出し量を大きくすることにより、高倍率ズームレンズにも対応できる。
【図面の簡単な説明】
【図１】本発明のズームレンズ鏡筒の外観斜視図である。
【図２】本発明のズームレンズ鏡筒の分解斜視図である。
【図３】固定筒を説明する展開図である。
【図４】ワイド端の状態を示すズームレンズ鏡筒の断面図である。
【図５】テレ端の状態を示すズームレンズ鏡筒の断面図である。
【図６】コード板による位置情報の検出を説明する説明図である。
【符号の説明】
１０  ズームレンズ鏡筒
１１  固定筒
１１ａ，１１ｂ，１１ｃ  溝
１２  中間筒
１３  撮影レンズ
１４  移動筒
１５，１７，１９，２０  ヘリコイド山
１６  コード板
１８  ブラシ部材
２４  回転止め部材
【図１】
2004294625.tif 000003
【図２】
2004294625.tif 000004
【図３】
2004294625.tif 000005
【図４】
2004294625.tif 000006
【図５】
2004294625.tif 000007
【図６】
2004294625.tif 000008